(57)【要約】      （修正有）【課題】重力と振り子体の自重を利用して該振り子体を最大速度で往復動させて極めて効率良く電力を得ることが出来る構造を提供する。【解決手段】始動時に所定の外力又は自重によって往復動可能な振り子体１と、振り子体１の往復動により電力を発生する発電機７とを備え、振り子体１が所定の全長を有すべく形成され、且つ該振り子体１の一方側１ａが他方側１ｂを天地方向に揺動状態で往復動させるべく支持部２を介して回動自在に支持され、振り子体１の往復動方向には、揺動する振り子体１の他方側１ｂが前記一方側１ａの支持部２と略同高位置まで上昇する所定の箇所に、振り子体１の他方側１ｂと当接する少なくとも一対の当接部位３が対峙すべく設けられ、且つ該当接部位３又は振り子体１の少なくとも何れか一方には天側方向へと上昇して当接部位３に当接した振り子体１の他方側１ｂを反天側方向へと強制的に下降させる加圧手段を設けた。【選択図】図１
2006097666.tif 000002
【特許請求の範囲】
【請求項１】
始動時に所定の外力又は自重によって往復動可能で、且つ電力発生用動力源として用いられる振り子体（１）と、該振り子体（１）の往復動を介して所定の電力を発生する発電機（７）とを備えた発電機等の電力発生用動力源の構造において、該振り子体（１）が所定の全長を有すべく形成され、且つ該振り子体（１）の一方側（１ａ）が他方側（１ｂ）を天地方向に揺動状態で往復動させるべく支持部（２）を介して回動自在に支持されてなり、しかも振り子体（１）の往復動方向には、揺動する振り子体（１）の他方側（１ｂ）が前記一方側（１ａ）の支持部（２）と略同高位置まで上昇する所定の箇所に、該振り子体（１）の他方側（１ｂ）と当接する少なくとも一対の当接部位（３）が対峙すべく設けられ、且つ該当接部位（３）又は前記振り子体（１）の他方側（１ｂ）の少なくとも何れか一方には、天側方向へと上昇して当接部位（３）に当接した振り子体（１）の他方側（１ｂ）を反天側方向へと強制的に下降させる加圧手段が設けられてなることを特徴とする発電機等の電力発生用動力源の構造。
【請求項２】
前記加圧手段が、対峙する夫々の当接部位（３）及び該当接部位（３）に当接すべく揺動する振り子体（１）の他方側（１ｂ）の一方面側及び他方面側の夫々に設けられてなることを特徴とする発電機等の電力発生用動力源の構造。
【請求項３】
前記加圧手段に弾発体（４）又は弾性体の少なくとも何れか一方が用いられてなることを特徴とする請求項１又は２記載の発電機等の電力発生用動力源の構造。
【請求項４】
前記当接部位（３）又は前記振り子体（１）の他方側（１ｂ）の少なくとも何れか一方には、前記加圧手段を介して反天側方向へと強制的に下降する振り子体（１）の下降速度を増加させる振り子体下降速度増加手段が設けられてなることを特徴とする請求項１乃至３の何れかに記載の発電機等の電力発生用動力源の構造。
【請求項５】
前記振り子体下降速度増加手段が加圧気体であることを特徴とする請求項４記載の発電機等の電力発生用動力源の構造。
【請求項６】
前記振り子体（１）には、他方側（１ｂ）を揺動状態で往復動する振り子体（１）との接触を介して一方向へと連続回転する回転体（６）が設けられ、且つ該回転体（６）の回転を介して発電機（７）が駆動する構成にしてなることを特徴とする請求項１乃至５の何れかに記載の発電機等の電力発生用動力源の構造。
【請求項７】
前記振り子体（１）又は回転体（４）の少なくとも何れか一方には、ラチェット機構（８）が設けられてなることを特徴とする請求項６記載の発電機等の電力発生用動力源の構造。
【請求項８】
前記当接部位（３）又は該当接部位（３）の近傍若しくは振り子体（１）又は該振り子体（１）の近傍には、振り子体（１）の他方側（１ｂ）を所定の動作で当接部位（３）の近傍で保持し、且つ所定の動作で開放する振り子体揺動制御手段が設けられてなることを特徴とする請求項１乃至７の何れかに記載の発電機等の電力発生用動力源の構造。
【請求項９】
前記振り子体（１）の揺動が、回転体（６）の一方向への回転により開始する構成にしてなることを特徴とする請求項１乃至８の何れかに記載の発電機等の電力発生用動力源の構造。
【請求項１０】
前記回転体（６）の回転起動に加圧エアーが用いられ、且つ該回転体（６）の外周部には、複数のエアー受け部（６ａ）が設けられてなることを特徴とする請求項９記載の発電機等の電力発生用動力源の構造。
【発明の詳細な説明】
【技術分野】
【０００１】  本発明は、主として発電機等に用いられる電力発生用動力源の構造に関し、更に詳しくは、所定の全長を有し、且つ一方側が支持部を介して回動自在に支持され、且つ他方側を該支持部を介して天地方向に揺動状態に往復動可能な振り子体を用いた発電機等の電力発生用動力源の構造に関するものである。
【背景技術】
【０００２】  従来、この種、往復動する振り子体を用いた発電機等の電力発生用動力源の構造としては、例えば、特開２００３−３３３７９５号公報所載のものがある。
【特許文献１】特開２００３−３３３７９５号
【０００３】  かかる公報所載の電力発生用動力源の構造は、図４に示すように、筐体（２０）内に収容され、且つ上下方向に直線的に往復動する振り子（２１）と、前記筐体（２０）内に収容されると共に、前記振り子（２１）を上下から付勢する一対の圧縮バネ（２２）と、前記振り子（２１）の直線運動に追従して回転する転動部が入力軸（２３ａ）に設けられた発電機（２３）とを備えたものであり、主として携帯充電器に用いられるものである。【０００４】  よって、上記構成からなる発電機等の電力発生用動力源の構造によれば、歩行等による外力を介して筐体（２０）を上下に振動させると、筐体（２０）内の振り子（１０）が、圧縮バネ（２２）によって上下方向に適切な往復運動を繰り返すことになり、その振り子（１０）の往復運動に追従して回転する転動部が入力軸（２３ａ）に設けられた発電機（２３）を介して所定の電力を発生する構造からなるものである。
【発明の開示】
【発明が解決しようとする課題】
【０００５】  しかしながら、前記従来の発電機等の電力発生用動力源の構造に於いては、下記に示すような問題が生じていた。【０００６】  即ち、上記従来の発電機等の電力発生用動力源の構造は、筐体（２０）内に収容された振り子（２１）を、上下から挟むように付勢する一対の圧縮バネ（２２）を介して上下方向に直線的に往復動させるものであるが、振り子（２１）は常に付勢された一対の圧縮バネ（２２）の間に存在することから、歩行等による外力を介して筐体（２０）を上下に振動させた場合にのみ振り子（２１）を往復動させることが出来るものである。【０００７】  即ち、振り子（２１）の往復動をある程度継続させる場合には常に外力を介して筐体（２０）を上下に振動させ続けなければならない。【０００８】  尚、電力発生用動力源として振り子（２１）を利用する場合においては、必然的に振り子（２１）の往復動数を、振り子（２１）を往復動させるために必要最少の外力付加回数の数倍〜数十倍に達するように動作させることが望ましいのは言う迄もない。【０００９】  しかしながら、上記従来のように、振り子（２１）を上下から挟むように付勢する一対の圧縮バネ（２２）を介して上下方向に直線的に往復動させるという構造では、振り子（２１）の往復動を筐体（２０）への外力付加回数の数倍〜数十倍にまで達するように動作させることは出来ず、精々数回程度往復動すれば両方から付勢された一対の圧縮バネ（２２）を介してその往復動が瞬時に規制されて基の位置で停止することになるばかりか、振り子（２１）の往復動距離（往復ピッチ）さえも稼ぐことが出来ない。【００１０】  よって、振り子（２１）が往復動距離を稼ぐことが出来ない場合には、発電機（２３）の入力軸（２３ａ）を効率よく転動させることに難が生じ、しいては発電効率が悪いものとなる。【００１１】  従って、本来、上記構造からなる発電機等の電力発生用動力源の構造においては、振り子（２１）の往復動を利用して発電機（２３）が所定の電力を発生する構造であることから、必要最少の外力付加回数によって振り子（２１）を最大限の往復動距離（往復ピッチ）で、且つ往復動数で上下方向に動作させなければ効率の良い電力が得られないという問題が生じていた。【００１２】  即ち、本発明は上記問題を解決すべくなされたものであり、振り子体を外力によって連続的に往復動させることなく、重力と振り子体の自重を利用して該振り子体を最大速度で往復動させて極めて効率良く電力を得ることが出来る発電機等の電力発生用動力源の構造を提供することを課題とするものである。
【課題を解決するための手段】
【００１３】  本発明は上記課題を解決すべくなされたものであり、かかる発電機等の電力発生用動力源の構造は、始動時に所定の外力又は自重によって往復動可能で、且つ電力発生用動力源として用いられる振り子体（１）と、該振り子体（１）の往復動を介して所定の電力を発生する発電機（７）とを備え、しかも該振り子体（１）が所定の全長を有すべく形成され、且つ該振り子体（１）の一方側（１ａ）が他方側（１ｂ）を天地方向に揺動状態で往復動させるべく支持部（２）を介して回動自在に支持されてなり、しかも振り子体（１）の往復動方向には、揺動する振り子体（１）の他方側（１ｂ）が前記一方側（１ａ）の支持部（２）と略同高位置まで上昇する所定の箇所に、該振り子体（１）の他方側（１ｂ）と当接する少なくとも一対の当接部位（３）が対峙すべく設けられ、且つ該当接部位（３）又は前記振り子体（１）の少なくとも何れか一方には天側方向へと上昇して当接部位（３）に当接した振り子体（１）の他方側（１ｂ）を反天側方向へと強制的に下降させる加圧手段を設けたことにある。【００１４】  更に、本発明は、加圧手段に弾発体（４）又は弾性体の少なくとも何れか一方を用いたことにある。【００１５】  更に、本発明は、加圧手段が、対峙する夫々の当接部位（３）及び該当接部位（３）に当接すべく揺動する振り子体（１）の他方側（１ｂ）の一方面側及び他方面側の夫々に設けられたことにある。【００１６】  更に、本発明は、当接部位（３）又は前記振り子体（１）の少なくとも何れか一方に、前記加圧手段を介して反天側方向へと強制的に下降する振り子体（１）の下降速度を増加させる振り子体下降速度増加手段を設けたことにある。【００１７】  又、本発明は、振り子体下降速度増加手段に加圧気体を用いたことにある。【００１８】  更に、本発明は、振り子体（１）に、他方側（１ｂ）を揺動状態で往復動する振り子体（１）との接触を介して一方向へと連続回転する回転体（６）が設けられ、且つ該回転体（６）の回転を介して発電機（７）が駆動することにある。【００１９】  更に、本発明は、振り子体（１）又は回転体（６）の少なくとも何れか一方には、ラチェット機構（８）が設けられたことにある。【００２０】  更に、本発明は、当接部位（３）又は該当接部位（３）の近傍若しくは振り子体（１）又は該振り子体（１）の近傍には、振り子体（１）の他方側（１ｂ）を所定の動作で当接部位（３）の近傍で保持し、且つ所定の動作で開放する振り子体揺動制御手段が設けられたことにある。【００２１】  よって、上記手段を用いた発電機等の電力発生用動力源の構造によれば、始動時において、例えば、予め振り子体（１）の一方側（１ａ）の支持部（２）と略同高位置まで上昇させて一方側の当接部位（３）の近傍で振り子体揺動制御手段を介して位置決め保持状態とした振り子体（１）の他方側（１ｂ）を振り子体揺動制御手段を動作させて保持状態から瞬時に開放すると、該振り子体（１）の他方側（１ｂ）は、円弧を描くが如く前記支持部（２）を軸芯として反天側方向へと重力及び自重を介して下降（矢印Ａ）しつつ最下深部を通過（矢印Ｂ）した後、対峙する側に位置する他方側の当接部位（３）へと慣性及び遠心力の夫々をも介して上昇（矢印Ｃ）するが如く揺動することになる。【００２２】  その後、最下深部（Ｂ）を通過して上昇（Ｃ）した振り子体（１）の他方側（１ｂ）は、前記対峙する側に位置する他方側の当接部位（３）に当接することになるが、この時、他方側の当接部位（３）又は前記振り子体（１）の少なくとも何れか一方には加圧手段が設けられてなることから、天側方向へと上昇して他方側の当接部位（３）に当接した振り子体（１）の他方側（１ｂ）は押圧手段の押圧作用と重力及び自重をも伴って反天側方向へと強制的に下降することになる。【００２３】  従って、他方側の当接部位（３）側から加圧手段の押圧作用と重力及び自重をも伴って反天側方向へと下降した振り子体（１）の他方側（１ｂ）は、再び一方側の当接部位（３）側へと逆戻り状態で天側方向に上昇して一方側の当接部位（３）側へと戻ることになるが、この時、一方側の当接部位（３）又は前記振り子体（１）の少なくとも何れか一方には加圧手段が設けられてなることから、逆戻り状態で天側方向へと上昇して一方側の当接部位（３）に当接した振り子体（１）の他方側（１ｂ）は加圧手段の押圧により再び他方側の当接部位（３）へと円弧を描くべく下降することになり、しいては、その一連の繰り返し動作によって連続的に振り子体（１）の他方側（１ｂ）は天地方向に揺動状態で往復動することになる。【００２４】  よって、振り子体（１）が支持部（２）を介して他方側（１ｂ）を天地方向に揺動状態で往復動させる際、振り子体（１）と接触する箇所にラチェット機構（８）を介して接触する回転体（６）も振り子体（１）の往復動に沿って必ず一方向へと連続回転することとなり、この回転体（６）に発電機（７）を接続することで常に所定の電力を連続発生させることが出来る。【００２５】  更に、夫々の当接部位（３）が、揺動する振り子体（１）の他方側（１ｂ）が一方側（１ａ）の支持部（２）と略同高位置まで上昇する所定の箇所に設けられてなることから、往復動時に遠心力及び自重を介して天側方向へ円弧を描くが如く上昇してくる振り子体（１）の運動エネルギーを介して一方向へと回転する回転体（６）の始動トルクや連続回転時の加算トルクを最大となる箇所で反天側方向へと他方側（１ｂ）を押圧することが可能となり、しいては最大の反作用を伴って振り子体（１）の他方側（１ｂ）を最大速度で反天側方向へと下降させることが可能となり、よって、極めて短時間に振り子体（１）の往復動速度を最大限に上げることも可能となる。【００２６】  更に、加圧手段に複数のピアノ線やスプリングバネ等の弾発体（４）又はゴム材や内部に所定の気体が封じこめられたクッション部材等の弾性体の少なくとも何れか一方が設けられていてもよく、この場合には、機構を簡略化してメンテナンス性を向上させ、且つコスト低減を図った加圧機構を提供することが出来るが、例えば、当接部位（３）と振り子体（１）の他方側（１ｂ）の夫々の対面する当接箇所にピアノ線やスプリングバネ等の弾発体（４）及び／又は弾性体が対面して設けられた場合には、当接部位（３）又は振り子体（１）の他方側（１ｂ）の何れか一方に弾発体（４）及び／又は弾性体が設けられた場合に比べ、当接部位（３）に当接した振り子体��１）の他方側（１ｂ）を反天側方向へと極めて強力に、且つ勢いを伴って下降させることが可能となり、しいては短時間に振り子体（１）の往復動速度を高めることが出来、その結果として回転体（６）を極めて早期に安定回転域までもっていくことで発電機（７）を介しての電力発生量を早期に安定させることが出来る。【００２７】  更に、振り子体（１）が対峙する一対の当接部位（３）及び加圧手段を介して他方側（１ｂ）を天地方向に揺動状態で連続的に往復動させる際、当接部位（３）又は前記振り子体（１）の少なくとも何れか一方に設けられた振り子体下降速度増加手段を用いると、振り子体（１）の往復動速度を往復数毎に順次速めて行くことが可能となり、その結果夫々の当接部位（３）に交互に当接する振り子体（１）の運動エネルギーそのものを増大させることが出来る。【００２８】  よって、振り子体（１）の運動エネルギーが増大すると、振り子体（１）とラチェット機構（８）を介して接触する回転体（６）の回転数も容易に増加させることが可能となり、その結果として発電機（７）の回転数を上昇させて発電量を簡単に増大させることが出来るだけでなく、回転体（６）に発電機（７）を複数接続した場合であっても、又極めて大きな発電量を有する大型の発電機（７）を接続した場合でも、発電機（７）を容易に駆動させるべく回転体（６）に必要十分なトルクを与えてスムーズ、且つ高速に回転体（６）を回転させて最大効率の電力を得ることが出来る。【００２９】  更に、振り子体下降速度増加手段に圧縮エアー等の加圧気体を用いた場合には、機構を簡略化してメンテナンス性を向上させ、且つコスト低減を図ることが出来るだけでなく、回転体（６）を直接用いた動力や発電機（７）の電力を用いて所定のコンプレッサー（図示せず）を駆動させて圧縮エアーをタンクに貯留させておき必要に応じて用いればよいというシステム効率を上げることが出来るが、かかるエアー等の加圧気体を振り子体（１）の揺動を介しての往復動のスタート時に利用してもよく、この場合には、重力及び自重によって下降する振り子体（１）により大きな運動エネルギーをスタート時に付加することが出来、しいては振り子体（１）の往復動を介して一方向に回転する回転体（６）の回転始動トルクを簡単に得ることが出来るだけでなく、早期に安定回転域までもってくことも容易となり、しいては発電機（７）を介しての電力発生量の早期安定を実現することが出来る。【００３０】  更に、加圧手段が、対峙する夫々の当接部位（３）及び該当接部位（３）に当接すべく揺動する振り子体（１）の他方側（１ｂ）の一方面側及び他方面側の夫々に設けられ場合には、振り子体（１）が揺動する際、対峙する当接部位（３）と振り子体（１）の他方側（１ｂ）の双方から往復動に必要な押圧力（振り子体（１）の他方側（１ｂ）を反天側方向へと押し下げる力）を対峙する夫々の当接部位（３）と、該当接部位（３）の夫々に順次当接する振り子体（１）の他方側（１ｂ）の一方面側及び他方面側から常にダイレクトに得ることが可能となり、よって極めて短時間内に振り子体（１）の揺動速度を上げて振り子体（１）の往復動を安定させることが出来る。【００３１】  更に、振り子体（１）の揺���が、回転体（６）の一方向への回転により開始する構成にしてなる場合には、例えば、発電機（７）を介して得た電力を蓄電池に一旦貯留し、その後必要により蓄電池を介して電動機を駆動するだけで電動機の回転軸の回転動を回転体（６）の回転に極めて容易に且つスムーズに連動させることが可能となり、よって負荷抵抗を最少にした振り子体（１）の揺動開始を行うことが出来る。【００３２】  更に、回転体（６）の回転起動に加圧エアーが用いられ、且つ該回転体（６）の外周部に、複数のエアー受け部（６ａ）が設けられてなる場合には、発電機（７）を介して得た電力を介してコンプレッサーを駆動させてエアータンクに圧縮エアーを貯めておき、その後必要に応じて、エアータンク内の加圧エアーを回転体（６）のエアー受け部（６ａ）に吹き付けるだけで、電動機等の電気的動力手段を一切用いる必要なく、又電気的な駆動設備を一切必要とすることなく、容易且つ瞬時に回転体（６）をスムーズに回転させて振り子体（１）を揺動させることが可能になる。
【発明の効果】  叙上の様に、本発明における発電機等の電力発生用動力源の構造は、始動時に所定の外力又は自重によって往復動可能で、且つ電力発生用動力源として用いられる振り子体と、該振り子体の往復動を介して所定の電力を発生する発電機とを備え、しかも該振り子体が所定の全長を有すべく形成され、且つ該振り子体の一方側が他方側を天地方向に揺動状態で往復動させるべく支持部を介して回動自在に支持されてなり、しかも振り子体の往復動方向には、揺動する振り子体の他方側が前記一方側の支持部と略同高位置まで上昇する所定の箇所に、該振り子体の他方側と当接する少なくとも一対の当接部位が対峙すべく設けられ、且つ該当接部位又は前記振り子体の少なくとも何れか一方には天側方向へと上昇して当接部位に当接した振り子体の他方側を反天側方向へと強制的に下降させる加圧手段を設けた構成にしてなることから、一方側及び他方側夫々の当接部位の加圧手段の押圧作用と重力及び自重を伴う一連の繰り返し動作によって連続的に振り子体の他方側は天地方向に揺動状態で往復動することになり、よって、振り子体と接触する箇所にラチェット機構等を介して接触する回転体を振り子体の往復動に沿って必ず一方向へと連続回転させ、この回転体に発電機を接続することで常に所定の電力を連続発生させることが出来るという電力供給システムを安価に提供することが出来るという効果を奏する。【００３３】  更に、夫々の当接部位が、揺動する振り子体の他方側が一方側の支持部と略同高位置まで上昇する所定の箇所に設けられてなることから、往復動時に遠心力及び自重を介して一旦下降し、その後天側方向へ円弧を描くが如く上昇した後、逆戻りする振り子体の運動エネルギーを最大限に用いて一方向へと回転する回転体の始動トルクや連続回転時の加算トルクを最大に利用することが可能となり、しいては最大の反作用を伴って振り子体の他方側を最大速度で反天側方向へと下降させることも可能となり、よって極めて短時間に振り子体の往復動速度を最大限に上げることが出来るというシステム運用面での効果がある。【００３４】  更に、振り子体が対峙する一対の当接部位及び加圧手段を介して他方側を天地方向に揺動状態で連続的に往復動させる際、当接部位又は前記振り子体の少なくとも何れか一方に設けられた振り子体下降速度増加手段を用いると、振り子体の往復動速度を往復数毎に順次速めて行くことが可能となり、その結果夫々の当接部位に交互に当接する振り子体の運動エネルギーそのものを増大させることが出来るという効果がある。【００３５】  よって、振り子体の運動エネルギーが増大すると、振り子体とラチェット機構等を介して接触し、且つ一方向へと回転する回転体の回転数も容易に増加させることが可能となり、その結果として発電機の回転数を上昇させて発電量を簡単に増大させることが出来るだけでなく、回転体に発電機を複数接続した場合であっても、又極めて大きな発電量を有する大型の発電機を接続した場合でも、発電機を容易に駆動させるべく回転体に必要十分なトルクを与えてスムーズ、且つ高速で、しかも安定状態で回転体を回転させ最大効率の電力を得ることが出来るという効果を奏する。
【発明を実施するための最良の形態】
【００３６】  以下、本発明における発電機等の電力発生用動力源の構造の一実施形態を図面に従って説明する。
【実施例１】
【００３７】  図１及び図２において、１は電力発生用動力源として用いられる振り子体を示し、かかる振り子体１は、後述する回転体６を挟み込むように所定の長さを有した断面視略コの字状に形成され、しかも該振り子体１の一方側１ａは他方側１ｂを天地方向に揺動状態で往復動（矢印Ｇ）させるべく前記回転体６を挟み込むように基台１０に対峙して立設された一対の支持台１１の夫々の頂部に具備されたベアリング体１２間に挿通され掛け渡された回転軸体１３にベアリング体１４を用いた支持部２を介して回動自在に支持されている。【００３８】  前記回転体６の両側面の外周面部位と該外周面部位と振り子体１の対面する内周面部位の夫々には、該振り子体１が揺動状態で往復動する際、振り子体１が一方向側へと移動した時のみ該振り子体１と共に回転体６を同調させて一方向に回転体６を回転（矢印Ｈ）させるラチェット部材（ラチェット機構）８が円状に配設されている。【００３９】  更に、前記回転体６は、自らの中芯部６ａを前記振り子体１の夫々の支持部２間に位置させると共に、前記回転軸体１３に該中芯部６ａを固着してなり、しかも該支持部２と前記各支持台１１の頂部に具備されたベアリング体１２との間に位置する回転軸体１３には、外周縁に凹凸状の歯部１５ａを具備した歯車体１５が夫々固着されている。【００４０】  前記歯車体１５の下方には、該歯車体１５の歯部１５ａに歯合する回転歯部７ａを備え、且つ該回転歯部７ａの回転により所定の電力を発生する発電機７が夫々の歯車体１５に対して設けられている。【００４１】  又、前記振り子体１の往復動方向（矢印Ｇ）には、揺動する振り子体１の他方側１ｂが前記一方側１ａの支持部２と略同高位置まで上昇する所定の箇所に、該振り子体１の他方側１ｂと当接する少なくとも一対の当接部位３が対峙すべく設けられている。【００４２】  前記当接部位３には、強靱な複数のピアノ線（弾発体）４を用いて当接面３ａが形成され、しかも往復動によって夫々の当接部位３の当接面３ａに当接する振り子体１の他方側１ｂの端面部１ｃの両面には、所定長で、且つ所定のバネレートを有したスプリングバネ（弾発体）４が設けられている。【００４３】  よって、天側方向へと上昇して当接部位３の当接面３ａに当接した振り子体１の他方側１ｂは、ピアノ線（弾発体）４とスプリングバネ（弾発体）４とから構成された加圧手段を介して反天側方向（戻り方向）へと強制的に下降させられることになる。【００４４】  尚、前記当接部位３には、前記加圧手段のみならず自重及び重力の全て影響を受けて反発状態で反天側方向へと瞬時、且つ強制的に下降する振り子体１の下降速度を更に増加させるべく前記振り子体１の端面部１ｃに加圧エアー（振り子体下降速度増加手段）を噴射（矢印Ｉ）するノズル５が設けられている。【００４５】  即ち、前記振り子体下降速度増加手段の一つとしての加圧エアー（加圧気体）は、前記スプリングバネ４とピアノ線４ａとが当接した際、振り子体１の他方側１ｂが最大の反発エネルギーを有した瞬間にタイミングよく前記ノズル５から噴射されるのである。【００４６】  更に、前記当接部位３の近傍には、振り子体１の他方側１ｂを当接部位３の近傍で保持することで振り子体１���揺動を停止させ、その後開放動作で振り子体１の他方側１ｂを重力及び自重を介して揺動させる振り子体揺動制御クランプ（振り子体揺動制御手段）９が設けられている。【００４７】  本発明の一実施形態における発電機等の電力発生用動力源の構造は上記構成からなり、よって、図３に示すように、始動時において、予め振り子体１の一方側１ａの支持部２と略同高位置まで上昇させて一方側の当接部位３の近傍で振り子体揺動制御クランプ（振り子体揺動制御手段）９を介して位置決め保持状態とした振り子体１の他方側１ｂを振り子体揺動制御クランプ９を動作させて保持状態から瞬時に開放すると同時にノズル５から加圧エアーを噴射（矢印Ｊ）すると、振り子体１の他方側１ｂは最大の反発エネルギーと重力及び自重をも伴って図４に示すように、円弧を描くが如く前記支持部２を軸芯として反天側方向へと勢いよく下降（矢印Ａ）しつつ最下深部を通過（矢印Ｂ）し、対峙する側に位置する他方側の当接部位（３）へと慣性及び遠心力の夫々をも介して上昇（矢印Ｃ）するが如く揺動することになる。【００４８】  その後、最下深部を通過して上昇した振り子体１の他方側１ｂは、前記対峙する側に位置する他方側の当接部位３に当接することになるが、この時、他方側の当接部位３と振り子体１の他方側１ｂには、ピアノ線（弾発体）４から形成された当接面３ａとスプリングバネ（弾発体）４とによる加圧手段が設けられてなることから、天側方向へと上昇して他方側の当接部位３に当接した振り子体１の他方側１ｂは、図５に示すように、押圧手段による反発エネルギーを用いた押圧作用と重力及び自重をも伴って反天側方向（戻り方向）へと強制的に下降（矢印Ｄ）することになるが、この時振り子体１の端面部１ｃに加圧エアー（振り子体下降速度増加手段）をノズル５よりタイミングよく噴射（矢印Ｅ）すると振り子体１の他方側１ｂは最大の反発エネルギーを有して、他方側の当接部位３側から反天側方向（戻り方向）へと下降し、再び一方側の当接部位３側へと逆戻り状態で天側方向に上昇して一方側の当接部位３側へと戻ることになるが、この時再び当接する一方側の当接部位３と振り子体１の他方側１ｂには押圧手段及び振り子体下降速度増加手段が設けられてなることから、逆戻り状態で天側方向へと上昇して一方側の当接部位３に当接した振り子体１の他方側１ｂは再び他方側の当接部位３へと円弧を描くべく下降することになり、しいては、その一連の繰り返し動作によって連続的に振り子体１の他方側１ｂは天地方向に揺動状態で往復動することになる。【００４９】  よって、振り子体１が支持部２を介して他方側１ｂを天地方向に揺動状態で往復動させる際、振り子体１とラチェット部材８を介して接触する回転体６も振り子体１の往復動に沿って必ず一方向に回転することになる。【００５０】  従って、回転体６の一方向への回転により回転軸体１３が回転し、該回転軸体１３に固着されて回転する歯車体１５の歯部１５ａに歯合する発電機７の回転歯部７ａが一方向へと回転することで所定の電力を継続して得ることが出来るのである。【００５１】  上記実施形態において、夫々の当接部位３が、揺動する振り子体１の他方側１ｂが一方側１ａの支持部２と略同高位置まで上昇する所定の箇所に設けられてなることから、往復動時に遠心力及び自重を介して天側方向へ円弧を描くが如く上昇してくる振り子体１の運動エネルギーを介して一方向へと回転する回転体６の始動トルクや連続回転時の加算トルクを最大となる箇所で反天側方向へと他方側１ｂを押圧することが可能となり、しいては最大の反作用を伴って振り子体１の他方側１ｂを最大速度で反天側方向へと下降させることが可能となり、よって、極めて短時間に振り子体１の往復動速度を最大限に上げることが出来るという利点がある。【００５２】  更に、上記実施形態では、加圧手段に複数のピアノ線やスプリングバネからなる弾発体４を用いたが、夫々が同じスプリングバネであってもよく、又当接部位３にスプリングバネが設けられ、且つ振り子体１の他方側１ｂにピアノ線を用いた部位が設けられていてもよく、何れの場合であっても機構を簡略化してメンテナンス性を向上させ、且つコスト低減を図った加圧機構（加圧手段）を提供することが出来るが、当接部位３と振り子体１の他方側１ｂの夫々の対面する当接箇所にピアノ線やスプリングバネからなる弾発体４を対面して設けた場合には、当接部位３又は振り子体１の他方側１ｂの何れか一方のみに弾発体４を設けた場合に比べ、当接部位３に当接した振り子体１の他方側１ｂを反天側方向へと極めて強力に、且つ勢いを伴って下降させることが可能となり、しいては短時間に振り子体１の往復動速度を高めることが出来、その結果として回転体６を極めて早期に安定回転域までもっていくことで発電機７を介しての電力発生量を早期に安定させることが出来るという利点がある。【００５３】  尚、加圧手段に複数のピアノ線やスプリングバネからなる弾発体４を用いたが、必ずしも弾発体４である必要はなく、例えば、ゴム材や内部に所定の気体が封じこめられたクッション部材等の弾性体（図示せず）を夫々の少なくとも何れか一方に設けてもよく、要は当接部位３に振り子体１の他方側１ｂが当接した際、該他方側１ｂを反天側方向へと強力に下降させることが出来る加圧手段が当接部位又は前記振り子体の少なくとも何れか一方に設けられていれば加圧手段の具体的な構成、機構、使用部材等も本発明の意図する範囲内で設計変更自在であるのは言う迄もない。【００５４】  更に、上記実施形態において、振り子体１が対峙する一対の当接部位３及び加圧手段を介して他方側１ｂを天地方向に揺動状態で連続的に往復動させる際、当接部位３又は前記振り子体１の少なくとも何れか一方に設けられた振り子体下降速度増加手段を用いることにより、振り子体１の往復動速度を往復数毎に順次速めて行くことが可能となり、その結果夫々の当接部位３に交互に当接する振り子体１の運動エネルギーそのものを増大させることが出来るという大きな利点がある。【００５５】  よって、振り子体１の運動エネルギーが増大すると、振り子体１とラチェット機構８を介して接触する回転体６の回転数も容易に増加させることが可能となり、その結果として発電機７の回転数を上昇させて発電量を簡単に増大させることが出来るだけでなく、回転体６に発電機７を複数接続した場合であっても、又極めて大きな発電量を有する大型の発電機７を接続した場合でも、発電機７を���易に駆動させるべく回転体６に必要十分なトルクを与えてスムーズ、且つ高速に回転体６を回転させて最大効率の電力を得ることが出来るという利点がある。【００５６】  更に、振り子体下降速度増加手段に圧縮エアー等の加圧気体を用いた場合には、機構を簡略化してメンテナンス性を向上させ、且つコスト低減を図ることが出来るだけでなく、回転体６を直接用いた動力や発電機７の電力を用いて所定のコンプレッサー（図示せず）を駆動させて圧縮エアーをタンクに貯留させておき必要に応じて用いればよいというシステムの効率を上げることが出来るという利点があるが、上記実施形態のように、かかるエアー等の加圧気体を振り子体１の揺動を介しての往復動のスタート時に利用した場合には重力及び自重によって下降する振り子体１により大きな運動エネルギーをスタート時に付加することが出来、しいては振り子体１の往復動を介して一方向に回転する回転体６の回転始動トルクを簡単に得ることが出来るだけでなく、早期に安定回転域までもってくことも容易となり、しいては発電機７を介しての電力発生量の早期安定を実現することが出来るという利点がある。【００５７】  更に、上記実施形態において、当接部位３の近傍には、振り子体１の他方側１ｂを当接部位３の近傍で保持することで振り子体１の揺動を停止させ、その後開放動作で振り子体１の他方側１ｂを重力及び自重を介して揺動させる振り子体揺動制御手段に振り子体揺動制御クランプ９が設けられているが、必ずしもクランプ機構を有する必要はなく、要は振り子体１の他方側１ｂを当接部位３の近傍で保持及び開放する機構であれば振り子体揺動制御手段の具体的な部品構成や動作等も決して限定されないのは言う迄もない。【００５８】  上記実施形態において、発電機７は回転体６と共に回転する歯車体１５に歯合する回転歯部７ａを介して所定の電力を発生する構成にしてなるが、要は振り子体１の揺動による往復動によって所定の電力を発生することが出来れば回転体６に直接設けられていてもよく、又振り子体１にベルトやチェーン等の連結部材（図示せず）を介して接続されていてもよく、発電機７の具体的な種類、数量、設置箇所や駆動機構も決して限定されるものではない。
【実施例２】  更に、図６に示すように、回転体６の回転起動にノズル１６から加圧エアーを噴射させると共に、回転体６の外周部に、複数のエアー受け部６ａを所定の間隔で設けた場合には、前記発電機７を介して得た電力を介してコンプレッサー（図示せず）を駆動させてエアータンク（図示せず）に圧縮エアーを貯めておき、その後必要に応じて、エアータンク（図示せず）内の加圧エアーを回転体６のエアー受け部６ａに吹き付けるだけで、電動機等の電気的動力手段を一切用いる必要なく、又電気的な駆動設備を一切必要とすることなく、容易且つ瞬時に回転体６をスムーズに回転させて振り子体１を揺動させることが出来、更に振り子体１の揺動を、回転体６の一方向への回転により開始する構成にしてなる場合には、例えば、発電機７を介して得た電力を蓄電池（図示せず）に一旦貯留し、その後必要により蓄電池（図示せず）を介して始動用電動機（図示せず）を駆動するだけで始動用電動機の回転軸の回転動を回転体６の回転に極めて容易に且つスムーズに連動させることが可能となり、よって負荷抵抗を最少にした振り子体１の揺動開始を円滑にしかも低価格に実現することが出来るというコスト上の利点がある。【００５９】  而して、本発明の発電機等の電力発生用動力源の構造において、各部を形成する部材の形状、構造，組み合わせ及び材質等は本発明の意図する範囲内で任意に設計変更自在である。
【産業上の利用可能性】
【００６０】  本発明は、公害を一切発生させることなく振り子体の運動エネルギーを容易且つ爆発的に増大させ、結果として単位時間あたりの振り子体の往復動数を増加させて極めて効率良く発電機を駆動させて最大効率の電力を容易に得ることが可能な発電機等の電力発生用動力源の構造に関するものである。
【図面の簡単な説明】
【００６１】
【図１】本発明における発電機等の電力発生用動力源の構造の一実施形態を示す全体構成説明図。
【図２】図１におけるＪ−Ｊ線一部省略要部断面図。
【図３】一実施形態における発電機等の電力発生用動力源の構造の動作状態図。
【図４】一実施形態における発電機等の電力発生用動力源の構造の動作状態図。
【図５】一実施形態における発電機等の電力発生用動力源の構造の動作状態図。
【図６】他の実施形態における発電機等の電力発生用動力源の構造の動作状態図。
【図７】従来の発電機等の電力発生用動力源の構造の一実施形態を示す全体構成説明図。
【符号の説明】
【００６２】１…振り子体
２…支持部
３…当接部位
４…弾発体（加圧手段）
５…ノズル
６…回転体
７…発電機
８…ラチェット部材（ラチェット機構）
９…振り子体揺動制御クランプ（振り子体揺動制御手段）
【図１】
2006097666.tif 000003
【図２】
2006097666.tif 000004
【図３】
2006097666.tif 000005
【図４】
2006097666.tif 000006
【図５】
2006097666.tif 000007
【図６】
2006097666.tif 000008
【図７】
2006097666.tif 000009